(57)【要約】【課題】  容易に上腕部をマッサージすることができるマッサージ機を提供する。【解決手段】  椅子の背もれ部１の左右両側に、背もれ部に寄りかかる被施療者の左右上腕部を側方から押圧するエアバック１０、１１を配置し、このエアバックを配置する配置部は、背もたれ部１の中央の平坦部に対して左右対称的に所定角度だけ外側に向かって広がるように傾斜させる。【効果】  被施療者は椅子に座って背もたれ部に寄りかかるだけで、左右の上腕部は左右のエアバックによって抱きかかえられるようになり、このエアバックの膨張により左右の上腕部は側方から押圧されて容易にマッサージすることができる。また背もたれ部に寄りかかる際にエアバックがじゃまになることもなく、使いやすい。【選択図】    図１
2005052676.tif 000002
【特許請求の範囲】
【請求項１】
椅子の背もれ部の左右両側に、背もれ部に寄りかかる被施療者の左右上腕部を側方から押圧するエアバックを配置し、該エアバックを配置する配置部は、背もたれ部の中央の平坦部に対して左右対称的に所定角度だけ外側に向かって広がるように傾斜していることを特徴とするマッサージ機。
【発明の詳細な説明】
【技術分野】
【０００１】
本発明はマッサージ機に関する。さらに詳しくは、肩、背中および腰のマッサージ機能に加え、上腕のマッサージが可能な全身対応マッサージ機に関する。
【背景技術】
【０００２】
従来より、前腕または手部をマッサージする椅子式マッサージ機が提案されている。たとえば、手すり上部において前腕を空気袋で挟んで圧迫するタイプ（特許文献１、特許文献２参照）、手すり上部において手部および下腕部を袋状の収納体内部で加圧するタイプ（特許文献３参照）がある。また、上腕部をマッサージできるものとしては、腕に空気袋を装着する装着型のマッサージ機（特許文献４参照）がこれまでに提案されている。
【特許文献１】特開２００１−２０４７７６号公報
【特許文献２】特開平１０−２６３０２９号公報
【特許文献３】特開平１０−２４３９８１号公報
【特許文献４】特開平７−１１６２１４号公報
【発明の開示】
【発明が解決しようとする課題】
【０００３】
これら従来のマッサージ機では、上腕部をマッサージするためにはエアバッグ（空気袋）を上腕部にフィットさせなければならないが、装着型のマッサージ機は、拘束感が強く、また、装着作業が面倒であるため、容易に上腕部の快適なマッサージを提供することができなかった。このことは、マッサージ機の使用を日常生活の中で習慣化することを妨げる原因にもなっている。
【０００４】
本発明はかかる問題を解消するためになされたものであり、容易に上腕部をマッサージすることができるマッサージ機を提供することを目的とする。
【課題を解決するための手段】
【０００５】
本発明のマッサージ機は、椅子の背もれ部の左右両側に、背もれ部に寄りかかる被施療者の左右上腕部を側方から押圧するエアバックを配置し、該エアバックを配置する配置部は、背もたれ部の中央の平坦部に対して左右対称的に所定角度だけ外側に向かって広がるように傾斜させたものである。
【発明の効果】
【０００６】
本発明のマッサージ機によれば、被施療者は椅子に座って背もたれ部に寄りかかるだけで、左右の上腕部は左右のエアバックによって抱きかかえられるようになり、このエアバックの膨張により、体型の違いを吸収しながら左右の上腕部は側方から押圧されて容易にマッサージすることができる。またエアバックは背もたれ部の中央の平坦部に対して左右対称的に所定角度だけ外側に向かって広がるように配置されているので、背もたれ部に寄りかかる際にエアバックがじゃまになることもなく、使いやすい。
【発明を実施するための最良の形態】
【０００７】
つぎに図面を参照しながら本発明のマッサージ機をさらに詳細に説明する。図１は本発明のマッサージ機の一実施の形態を示す斜視説明図、図２は図１のマッサージ機の平面説明図、および図３は図１のマッサージ機を用いて両側の上腕部を交互にマッサージする動作を説明するための施療者を頭上から見た場合の説明図である。
【０００８】
図１は本発明の一実施の形態である椅子型マッサージ機の概略図である。本実施の形態のマッサージ機は、背もたれ部１と、シート部９と、シート部９の前方に設けられた脚支持部２０と、さらに脚支持部２０の前方の足支持部３０とから構成されている。
【０００９】
脚支持部２０には、膨張、収縮を繰り返すことにより左右の足のふくらはぎを左右両側から挟み揉みするエアーバッグが内蔵されている。足支持部３０には、モータにより左右往復運動して左右の足を挟み揉みする左右一対づつの施療体３１が内蔵されている。脚支持部２０および足支持部３０は、図示しない布製のカバーで覆われており、エアバックや施療子３１はカバーで隠れている。
【００１０】
背中マッサージユニット２は、背もたれ部１の開口部１ａから施療子３、４、５、６を突き出して肩、背中、腰などをマッサージする。
【００１１】
背もたれ部１の左右両側には、一対の腕圧迫用エアバッグ１０，１１が配置されている。さらに背もたれ部１には、一対の身体支持用エアバッグ１２，１３が配置されている。腕圧迫用エアバッグおよび身体支持用エアバッグの数および配置については、本発明はとくに限定されるものではなく、それぞれ少なくとも一対あればよく、後述するように、エアバッグの大きさなどに応じて多数のエアバッグを配置するようにしてもよい。
【００１２】
背もたれ部１は、図示しない布製のカバーで覆われており、背中マッサージユニット２や各エアバッグ１０〜１３はカバーで隠れている。
【００１３】
また、脚支持部２０は、シート部９に座る被施療者の体型や好みの角度などの諸条件に応じて、シート部９の前方に回転自在に取り付けられ、同様に、足支持部３０も脚支持部２０の下端に回転自在に取り付けられている。
【００１４】
身体支持用エアバッグ１２、１３および腕圧迫用エアバッグ１０、１１は、背もたれ部１の内部または背面側からチューブ（図示せず）を介して個別に外部のコンプレッサなどの加圧源からエアが供給されるため、独立して駆動制御される。
【００１５】
エアバッグ１０〜１３の材質については、本発明ではとくに限定されるものではないが、たとえばウレタンやナイロンなどを貼り合わせたもの、またはポリエチレンなどをブロ−成形して得られるエアバッグなどで作製すればよい。
【００１６】
エアバッグ１０〜１３の性能についても本発明ではとくに限定されるものではないが、たとえば押圧動作における圧力を２０〜３０ｋＰａ、振動数を０．１サイクル／秒（すなわち、通常１回／１０秒程度）、ストロークを５０〜６０ｍｍ程度に設定することができる。
【００１７】
図２は標準的な座高の人が本実施の形態のマッサージ機に座った状態の概略図である。このとき、腕圧迫用エアバッグ１０、１１は上腕部をすべてカバーする範囲の長さを有する。また、身体支持用エアバッグ１２、１３はわき下から腰上部にかけてカバーする長さを有する。
【００１８】
身体支持用エアバッグ１２、１３は、腕圧迫用エアバッグ１０、１１よりも背もたれ部１の上下方向に延びる中心線に近い位置（具体的には、図２に示されるように被施療者Ｐのわき下に広がる部分）に配設されているため、身体支持用エアバッグ１２、１３を膨張または収縮することにより、被施療者Ｐの身体を左右に傾斜させることができ、背もたれ姿勢を容易に制御することができる。
【００１９】
身体支持用エアバッグ１２、１３は、腕圧迫用エアバッグ１０、１１よりも下側に位置しているため、腕圧迫用エアバッグ１０、１１を上腕部のほぼ全長わたって接触させながら、身体支持用エアバッグ１２、１３を体側に接触させて背もたれ姿勢を制御することができる。
【００２０】
身体支持用エアバッグ１２、１３および腕圧迫用エアバッグ１０、１１は、左右対称に配置されているため、身体を左右に傾斜させながら均等にマッサージを行なうことができる。
【００２１】
また、身体支持用エアバッグ１２、１３および腕圧迫用エアバッグ１０、１１の少なくとも一部を上下方向に複数個分割した構成にした場合、被施療者の座高に合わせて選択的にエアバッグ１０〜１３を膨張および収縮させることができる。つまり、被施療者の座高が低い場合には、図２において、エアバッグ１０〜１３の下側を構成する分割部分を選択的に膨張および収縮させ、逆に、座高が高い場合にはエアバッグ１０〜１３の上側だけ、あるいは上側、下側共に膨張および収縮させればよい。
【００２２】
背もたれ部１の横幅は、腕圧迫用エアバッグ１０、１１が配置された高さで最大になるように設定されているため、図２〜３に示されるように、被施療者Ｐの身体が左右に傾斜したときに、腕圧迫用エアバッグ１０、１１は上腕部Ａに良好に接触することができる。
【００２３】
また、図１に示されるように、背中マッサージユニット２は、背もたれ部１に上下方向に移動自在に設けられている。背中マッサージユニット２を用いて通常のマッサージを行なうときには、背中マッサージユニット２の高さを調整して施療子３、４、５、６を首、肩、背中または腰などの所望の位置に接触させてマッサージを行なう。腕圧迫用エアバッグ１０、１１を用いて上腕部Ａのマッサージを行なうときには、背中マッサージユニット２の施療子３〜６を施療者Ｐに接触しない位置、たとえば開口１ａ上端の所定の位置（ここでは施療子３〜６が首の両側で肩の上方に位置する）に回避させれば、背中マッサージユニット２がじゃまにならずに施療者の身体を容易かつ確実に傾斜させることができる。
【００２４】
図３は上腕マッサージ時のエアバッグの膨張収縮制御法を示す。
【００２５】
背もたれ部１は被施療者Ｐを抱きかかえて上腕部Ａのマッサージをしやすいように身体に対し凹形状になっており、腕圧迫用エアバッグ１０、１１を配置した部分は中央の平坦部に対して図３の如く左右対称的に所定角度θだけ外側に向かって広がるように傾斜をなしている。
【００２６】
まず、図３（ａ）に示されるように、上腕マッサージを行なう前では、すべてのエアバッグ１０〜１３が収縮した状態になっている。エアバックは背もたれ部の中央の平坦部に対して左右対称的に所定角度だけ外側に向かって広がるように配置されているので、背もたれ部に寄りかかる際にエアバックがじゃまになることはない。
【００２７】
ついで、上腕マッサージを開始するとき、図３（ｂ）に示されるように、左腕をマッサージする場合には、身体支持用エアバッグ１２を膨張させて施療者Ｐの身体を左に傾斜させ、それに同期して腕圧迫用エアバッグ１１を膨張させる。この状態では左腕に体重がかかるとともに左側からの腕圧迫用エアバッグ１１による押圧力で左腕の上腕部Ａ１は圧迫される。エアバッグ１１、１２を収縮させると上腕部Ａ１は圧迫から解放される。この膨張、収縮を繰り返すことにより、上腕部Ａ１を集中的にマッサージすることができる。
【００２８】
反対に、図３（ｃ）に示されるように、身体支持用エアバッグ１３および腕圧迫用エアバッグ１０を同期させながら膨張および収縮させることで右腕の上腕部Ａ２を集中的にマッサージすることができる。
【００２９】
このように、身体支持用エアバッグ１２、１３を膨張させて身体を傾かせることにより、上腕を体重で圧迫すると共に腕圧迫用エアバッグ１０、１１を膨張させて横から押しつけることにより、上腕をしっかりとホールドした状態で効果的にマッサージすることができる。
【図面の簡単な説明】
【００３０】
【図１】本発明のマッサージ機の一実施の形態を示す斜視説明図である。
【図２】図１のマッサージ機の平面説明図である。
【図３】図１のマッサージ機を用いて両側の上腕部を交互にマッサージする動作説明図である。
【符号の説明】
【００３１】
１      背もたれ部
１０    腕圧迫用エアバッグ
１１    腕圧迫用エアバッグ
【図１】
2005052676.tif 000003
【図２】
2005052676.tif 000004
【図３】
2005052676.tif 000005